(57)【要約】      （修正有）【課題】固定部材を壁の裏面側に設けられた間柱等に固定する際に、位置ずれが生じることがない壁埋め込み水栓の固定部材を提供する。【解決手段】壁の裏面側に設けられ、壁の裏面と対面する対面と対面に対して垂直な固定面とを有する柱１００，１０１にねじ固定され、水栓本体を固定する壁埋め込み水栓の固定部材７であって、固定部材７は、固定面に対して傾斜し且つ壁奥に向かってねじ１３が挿入されるねじ穴１４が形成され、且つ固定面に当接するねじ固定部１１，１２を有し、ねじ固定部１１，１２は、固定部材７が柱１００，１０１に固定される際に、対面に当接し、固定部材７の柱１００，１０１に対する固定位置のずれを防止するつば部１６を有している。【選択図】図３
2010077770.tif 000002
【特許請求の範囲】
【請求項１】
壁の裏面側に設けられ、壁の裏面と対面する対面と前記対面に対して垂直な固定面とを有する柱にねじ固定され、水栓本体を固定する壁埋め込み水栓の固定部材であって、
前記固定部材は、前記固定面に対して、傾斜し且つ壁奥に向かってねじが挿入されるねじ穴が形成され、且つ前記固定面に当接するねじ固定部を有し、
前記ねじ固定部は、前記固定部材が前記柱に固定される際に、前記対面に当接し、前記固定部材の前記柱に対する固定位置のずれを防止するつば部を有していることを特徴とする壁埋め込み水栓の固定部材。
【請求項２】
前記つば部は、壁材の厚み違いによる、前記固定部材の前記柱に対する複数の固定位置に対応可能であることを特徴とする請求項１に記載の壁埋め込み水栓の固定部材。
【請求項３】
前記つば部は、前記固定部材と一体に形成されており、前記固定部材に対して切り外し可能であることを特徴とする請求項１又は請求項２に記載の壁埋め込み水栓の固定部材。
【請求項４】
前記つば部は、前記固定部材に対して取り外し可能であることを特徴とする請求項１又は２に記載の壁埋め込み水栓の固定部材。
【請求項５】
前記つば部は、前記固定部材の内部に収納可能であることを特徴とする請求項１又は２に記載の壁埋め込み水栓の固定部材。
【請求項６】
前記ねじ固定部は前記固定面に当接するねじ固定面を有し、前記つば部は、前記ねじ固定面に対して垂直方向に延び、且つ固定部材に対して切り外し可能な第１つば部と、前記第１つば部に対して垂直方向に延び、且つ前記第１つば部に対して切り外し可能な第２つば部から成り、
前記固定部材の前記柱に対する固定位置に応じて、前記第２つば部を、又は前記第２つば部を前記第１つば部から切り外して前記第１つば部を、前記対面に当接可能とすることを特徴とする請求項３に記載の壁埋め込み水栓の固定部材。
【発明の詳細な説明】
【技術分野】
【０００１】
本発明は、壁に埋め込まれて設置される壁埋め込み水栓を固定する壁埋め込み水栓の固定部材に関する。
【背景技術】
【０００２】
壁に埋め込まれて設置される壁埋め込み水栓の形態及び壁埋め込み水栓の固定部材の形態として、特許文献１に開示されているものがある。本明細書では図１０、図１１に記している。これは、壁内にボックス７０を固定し、そのボックス内部に水栓本体５０を収納することで、吐水口４０を有する水栓本体５０の壁面への突出量を抑えるように構成している。
【０００３】
そして、この時、ボックス７０はボックス側面２１０又はボックス上面２２０に設けられた長穴２３０とねじ２００を使って、壁内の間柱等に固定されるようになっており、図１０に示すようにねじ２００はボックス７０内部のスペースの関係上、ボックス７０の開口側からねじ込む必要があり、ねじ２００はボックス側面２１０及びボックス上面２２０に対して、またボックス側面２１０又はボックス上面２２０が当節する壁内の間柱等の固定面に対して斜めにねじ込まれる。
【０００４】
【特許文献１】特開２００２−７６３０９号公報
【発明の開示】
【発明が解決しようとする課題】
【０００５】
この時、ねじ２００の座がボックス側面２１０及びボックス上面２２０にあたり、ねじ締め込みにしたがって、壁奥側に力がかかり、ボックス７０が壁奥側にずれることから、ボックス７０の位置決めが難しくなる。そのため、位置ずれ調整に時間がかかったり、位置ずれを調整しないまま施工すると、カバー３００やハンドルが取り付かなかったり、カバー３００と壁の間にすき間が発生したりする。
【０００６】
また、図１１に示すように、壁材の厚み違いによるボックス７０の位置調整のため、スペーサー８０などを用いて調整する必要があった。
【０００７】
本発明の解決しようとする課題は、固定部材を壁の裏面側に設けられた間柱等に固定する際に、間柱等に対する位置ずれが生じることがない壁埋め込み水栓の固定部材を提供すること、更には、壁厚みに対応したスペーサーを用いることなく、固定部材を壁内の裏面側に設けられた間柱等に、位置ずれすることなく壁材の厚みに対応した固定位置で固定できる壁埋め込み水栓の固定部材を提供することにある。
【課題を解決するための手段】
【０００８】
本発明の固定部材は、壁の裏面側に設けられ、壁の裏面と対面する対面と対面に対して垂直な固定面とを有する柱にねじ固定され、水栓本体を固定する壁埋め込み水栓の固定部材であって、固定部材は、固定面に対して傾斜し且つ壁奥に向かってねじが挿入されるねじ穴が形成され、且つ固定面に当接するねじ固定部を有し、ねじ固定部は、固定部材が柱に固定される際に、対面に当接し、固定部材の柱に対する固定位置のずれを防止するつば部を有していることを特徴とする壁埋め込み水栓の固定部材。
【０００９】
このような構成とすれば、固定部材の柱に対する固定位置のずれを防止するために、柱の対面に当接するつば部があるので、固定部材を柱にねじ固定する際に、固定部材が壁奥側にずれていくことがないので、固定位置がずれることによって固定部材の固定に時間がかかったり、固定位置のずれを調整しないまま施工することによって、水栓本体を固定部材に固定した後に取り付けるカバーやハンドルが取り付かないといった問題や、カバーと壁の間にすき間が発生したりする問題が生じない。
【００１０】
ここで、つば部は、壁材の厚み違いによる、固定部材の柱に対する複数の固定位置に、対応可能であることが好ましい。
【００１１】
このような構成とすれば、壁材の厚みによって、つば部を調整することで、固定部材の柱に対する固定位置を変えることができるので、様々な壁材の厚みに対して、対応可能となり、壁材の厚みに対する調整を行うスペーサーを必要とすることがない。
【００１２】
更に、つば部は、固定部材と一体に形成されており、固定部材に対して切り外し可能であることが好ましい。
【００１３】
このような構成とすれば、つば部が固定部材と一体に形成されており、容易につば部を切り外すことが可能であるので、壁材の開口面積をつば部の部分を考慮して大きくする必要がない上に、つば部を別部品とし用意することがないので、施工者にとって施工しやすい。
【００１４】
また、つば部は、固定部材に対して取り外し可能であっても好ましい。
【００１５】
このような構成とすれば、つば部が取り外し可能であるため、固定部材を柱に固定した後に、つば部を取り外すことができるので、壁材の開口面積をつば部の部分を考慮して大きくする必要がない。
【００１６】
また、つば部は、前記固定部材の内部に収納可能であっても好ましい。
【００１７】
このような構成とすれば、つば部が固定部材の内部に収納可能であるので、固定部材を柱に固定した後、つば部を固定部材の内部に収納することができるので、壁材の開口面積をつば部の部分を考慮して大きくする必要がない。
【００１８】
更に、ねじ固定部は柱の固定面に当接するねじ固定面を有し、つば部は、固定面に対して垂直方向に延び、且つ固定部材に対して切り外し可能な第１つば部と、第１つば部に対して垂直方向に延び、且つ第１つば部に対して切り外し可能な第２つば部から成り、固定部材の柱に対する固定位置に応じて、第２つば部を、又は前記第２つば部を第１つば部から切り外して第１つば部を、対面に当接可能とすることが好ましい。
【００１９】
このような構成とすれば、一般的な２種類の壁材の厚みに対して、壁材が厚い場合は、第２つば部を柱の対面に当接させ、固定部材を位置ずれせず柱に固定することができ、壁材が薄い場合は、固定部材を柱に固定する前に、第２つば部を第１つば部から切り外し、第１つば部を柱の対面に当接させ、固定部材を位置ずれせずに柱に固定することができる。このように簡単に複数の固定位置に対して固定可能で更に、固定した後に切り外すことができる。
【００２０】
更に、固定部材を柱に固定した後に、第１つば部を固定部材から切り外すことができる、すなわち、つば部を固定部材から取り外すことができるため、壁材の開口面積をつば部の部分を考慮して大きくする必要がない。また、つば部は、固定部材と一体に形成されているため、つば部を別部品として用意することがないので、施工者にとって、容易に施工ができるものである。
【発明の効果】
【００２１】
本発明により、固定部材を壁の裏面側に設けられた間柱等に固定する際に、位置ずれが生じることがない壁埋め込み水栓の固定部材を提供することができる。更には、壁厚みに対応したスペーサーを用いることなく、固定部材を壁内の裏面側に設けられた間柱等に、位置ずれすることなく壁材の厚みに対応した固定位置で固定できる壁埋め込み水栓の固定部材を提供することができる。
【発明を実施するための最良の形態】
【００２２】
以下、図面に基づいて、本発明の第１の実施形態について説明する。図１は、本発明の固定部材を用いた壁埋め込み水栓の外観を示す斜視図である。図２は図１の断面図である。図３及び図４は、本発明の第１の実施形態である固定部材に関する斜視図、図５及び図６は、本発明の第２の実施形態である固定部材に関する斜視図、図７から図９は本発明の第３の実施形態である固定部材に関する斜視図である。図１０から図１１は従来技術を示す斜視図である。
【００２３】
図１に示すように壁埋め込み水栓１は壁Ｗに埋め込まれた形態で設置されており、正面には吐水口４と吐水口４からの流量を制御するハンドル２がカバー３から突出した状態で設置されている。壁Ｗの内側には、壁の裏側と対面する対面と、この対面に対して垂直な固定面を有する間柱１１０と、間柱と同様に壁の裏側と対面する対面と、この対面に垂直な固定面を有していて、この間柱に固定されている当木が設置されていて、間柱１００と当木１０１に、ねじ１３にて固定された本発明の固定部材７と、その固定部材７に壁Ｗの室内側よりねじ固定された水栓本体５が設置されている。給水口６から供給された水はバルブ９と逆止弁１０を経由して吐水口４に導かれる。
【００２４】
次に本発明の第１の実施形態である固定部材７について説明する。固定部材７は外周枠１５と、それに繋がる２つの側面１１、上面１２を有し、奥部にて側面１１、上面１２に繋がり、一部開口を有する奥面１１４を備えている。またこの側面１１及び上面１２には、ねじ固定用のねじ穴１４及び、つば部１６を備えており、側面１１及び上面１２の柱の固定面に当接する面がねじ固定面として機能し、側面１１及び上面１２がねじ固定部として機能している。このつば部１６の形状は図４に示すように、固定部材７の側面１１又は上面１２に対して垂直に延びる第１つば部１７と、第１つば部に対して奥面１１４の方向へ垂直に延びる第２つば部１８を有しており、この側面１１または上面１２と第１つば部１７、第１つば部１７と第２つば部１８との間には各々凹部１１１、１１２を備えている。また第２つば部端面１１６と第１つば部端面１１５とはＬ３離れている。
【００２５】
これより施工手順について説明する。図３に示すように壁裏に間柱１００の適当な高さに当木１０１を設置する。この時当木１０１は水平度に注意して設置する。次に固定部材側面１１と第２つば部１８のつば部端面１１６を間柱１００の固定面及び対面に、固定部材上面１２と第２つば部１８のつば部端面１１６を当木１０１の固定面及び対面にそれぞれ添わせ、ねじ１３をねじ穴１４に通して間柱１００と当木１０１にねじ込み、固定部材７を固定する。
【００２６】
この時、固定部材７の外周枠１５があるため、ねじ１３は間柱１００と当木１０１に対して壁表側よりななめにねじ込むことになる。そのため、固定部材７には壁奥側に力がかかり、固定部材７が壁奥側にずれようとするが、前述したように第２つば部１８のつば部端面１１６が間柱１００及び当木１０１の対面に当接しているため壁奥側へずれることなく、所定の位置に固定できる。
【００２７】
ねじ１３の固定が終了後、つば部１６を固定部材７から取り外す。具体的な手順としては、マイナスドライバーの先端を間柱１００や当木１０１の対面とつば部１６との隙間に挿入し、こじる。そうすると、第１つば部１７に壁表側に力が働くことになるが、前述したように第１つば部１７と固定部材７の側面１１や上面１２との間は凹部１１２が配置されており、薄肉となっている。この為前述の壁表側方向への力に対し、第１つば部１７がこの薄肉部で折れ、側面１１や上面１２と切り離され、取り外すことができる。その後、間柱１００に沿わせていない側面１１に繋がっているつば部１６も、手で壁表側に力を加えることにより、凹部１１２にて折ることで、取り外すことができる。
【００２８】
更に水栓本体５を固定部材７にねじ固定し、給水配管１１３を給水口６に接続した後、壁Ｗを固定部材７の外周枠１５に沿って開口し、間柱１００に固定する。その後、カバー３やハンドル２を固定する。
【００２９】
次に壁Ｗの厚さが異なり、前述より薄い場合の施工について説明する。
この場合、固定部材７を固定する前に、第１つば部１７から第２つば部１８を取り外す。両者の間には凹部１１１を備えており、第２つば部１８を側面１１や上面１２から離れる方向に手で引っ張る。そうするとつば部１６が凹部１１１にて折れ、取り外すことができる。
【００３０】
そして固定部材７を固定するが、前述の手順と異なるのは、間柱１００と当木１０１の対面に沿わせる部位が、第２つば部１８ではなく第１つば部１７の第１つば部端面１１５になることである。固定部材７を間柱１００、当木１０１にねじ１３にて固定した後、マイナスドライバーを第１つば部１７と、間柱１００及び当木１０１との対面にあて、こじる。この結果前述の場合と同様に、第１つば部１１７が凹部１１２から折れて固定部材７から外れる。
【００３１】
上述したように、予め第２つば部１８を取り外しておくことにより、壁Ｗの厚さがＬ３より薄い場合もスペーサーなどの部材を用いる必要が無い。
【００３２】
固定部材７とつば部１６は一体に形成されているため、紛失の危険性もなく、さらに固定部材７を固定した後、つば部１６は固定部材７から切り外すことができるので、壁材Ｗの開口面積はつば部１６を考慮して大きくする必要がなく、固定部材７の外周枠１５が壁Ｗ開口のガイドとなるため、施工しやすくなる。
【００３３】
次に図５〜図６に基づいて、本発明の固定部材の第２の実施形態について説明する。図５は本発明の第２の実施形態を示す斜視図、図６はつば部を示す斜視図である。なお、図５において図３に示す符号と同じ符号を付している部分は前述した固定部材７の構成部分と同じ構造、機能を有する部分であり、説明を省略する。
【００３４】
本実施の形態では固定部材１１７の側面１１及び上面１２につば部２０を取り付けるための開口部１１８が設けられている。このつば部２０について説明する。
【００３５】
詳しくは図６に示すようにつば部２０は、主に固定部材１１７に取り付けた際、固定部材外周部内面２１と当接するストッパー面２２と、ストッパー面２２に垂直なＡ１面２３、Ａ２面２４と、Ａ１面と垂直なＢ１面２５と、Ａ２面２４に垂直なＢ２面２６があり、Ｂ１面に垂直な第１つば面２７とＢ２面に垂直な第２つば面２８から構成されている。Ａ１面２３と第１つば面２７の間隔Ｌ１は、Ａ２面２４と第２つば面２８との間隔Ｌ２よりも小さくなっている。
【００３６】
次に施工手順について説明する。まず固定部材１１７の側面の間柱１００に当接するねじ固定面（図５では左側）と上面の開口部１１８につば部２０をＡ１面２３を壁奥側にして外周枠１５の内側よりはめ込む。次に固定部材１１７の側面１１と第１つば面２７を間柱１００の固定面及び対面に、固定部材上面１２と第１つば面２７を当木１０１の固定面及び対面にそれぞれ添わせ、ねじ１３をねじ穴１４に通して間柱１００と当木１０１にねじ込み、固定部材１１７を固定する。このとき、前述と同様に固定部材１１７には壁奥方向へ力がかかるが、第１つば面２７が間柱１００と当木１０１の対面と当接しているため、位置がずれることはない。そして、マイナスドライバー先端を固定部材１１７の外側よりＢ２面２６にあて、内側へ押し込む。こうすることでつば部２０が開口部１１８から外れる。
【００３７】
更に壁Ｗの厚さが薄い場合の対応について説明する。
前述の施工方法では、固定部材１１７の開口部１１８につば部２０を取り付ける際に、Ａ１面２３を壁奥側にして取り付けたが、今回はＡ２面２４を壁奥側にして開口部１１８に取り付ける。その他は前述の手順と同様である。
【００３８】
このような構成とすれば、間隔Ｌ１とＬ２との差を利用することで２種類の厚みの壁材に対して１つの部品で対応でき、固定部材を柱に固定した後に、つば部を取り外すことができるので、壁材の開口面積をつば部の部分を考慮して大きくする必要がなく、固定部材７の外周枠１５が壁Ｗ開口のガイドとなるため、施工しやすくなる。
【００３９】
次に図７〜図８に基づいて、本発明の第３の実施形態について説明する。図７は本発明の
第３の実施形態を示す斜視図、図９はつば部の外観図、図８は固定部材１１９に取り付けられた状態のつば部３０を示す斜視図である。なお、図７において図３に示す符号と同じ符号を付している部分は前述した固定部材７の構成部分と同じ構造、機能を有する部分であり、説明を省略する。
【００４０】
図９に示すようにつば部３０は、平板形状のつば面３４と、つば面３４の平面から法線方向に伸びる複数のスライド軸部３３と、スライド軸端部に位置するストッパー部３２と、スライド軸部に設けられストッパー部３２より延び、それより細い太軸部１２０を備えている。また、スライド軸部３３はつば面３４とストッパー部３２との距離に対して十分細く、ストッパー部３２をつば面３４と平行な方向への移動に対しては弾性変形するように構成されている。
【００４１】
一方、固定部材１１９には、外周枠１５につば部３０取り付け用の貫通穴１２１を備えるつば取付部３１を有する。図８に示すように、つば部３０は貫通穴１２１にスライド軸部３３を挿通した状態で取り付けられる。なおこの状態で、つば部３０は貫通穴１２１を軸として回転させることができる。またつば部３０は、つば面３４と外周枠１５との距離を２段階に変更することが可能であるので、このことについて説明する。
【００４２】
つば部３０は一度つば面３４を壁奥側へ押し込んだ状態では、太軸部１２０がつば取付部３１の壁奥側に位置し、その状態からつば面３４を壁表方向に引っ張っても段差部１２２とつば取付部３１が当接し、壁表方向に移動させることはできない。しかしながら、ストッパー部３２を貫通穴１２１軸芯方向へ押しながらつば面３４を壁表側へ引き出すと、太軸部１２０が貫通穴内部に入り込むため、ストッパー部３２がつば取付部３１に当接するまで、つば面３４を引き出すことができる。
【００４３】
次に施工方法について説明する。
施工者は、取付部材１１９に取り付けられたつば部３０のつば面３４を壁奥側へ押し込み、回転させ、つば面３４を外周枠１５から外部へ突き出す状態にする。その後、固定部材側面１１とつば面３４を間柱１００の固定面及び対面に、固定部材上面１２とつば面３４を当木１０１の固定面及び対面にそれぞれ添わせ、ねじ１３をねじ穴１４に通して間柱１００と当木１０１にねじ込み、固定部材１１９を固定する。このとき、前述と同様に固定部材１１９には壁奥方向へ力がかかるが、つば面３４が間柱１００と当木１０１の対面と当接しているため、位置がずれることはない。固定後、つば面３４を回転させ、外周部１５の内部、つまり固定部材１１９の内部に配置する。
【００４４】
このようにすることにより、壁Ｗの開口は外周部１５に沿って設けることができる。
【００４５】
次に壁Ｗの厚みが薄い場合について説明する。この場合は、固定部材１１９を間柱１００に固定する前にストッパー部３２を貫通穴１２１軸芯方向に押しながらつば面３４を壁表方向へ引き出しておく。このこと以外は前述と同じである。
【００４６】
このようにすることにより、固定部材１１９の間柱１００や当木１０１の対面に対する壁奥行き方向の位置を変えて固定することができる。即ち厚みの異なる壁Ｗの表面に対する固定部材１１９の位置を合わせることができる。
【００４７】
なお、上述の実施形態では、固定部材を間柱１００と当木１０１の両方にねじ固定しているが、必ずしも両方に固定する必要はなく、どちらか一方でもよい。
【産業上の利用可能性】
【００４８】
本発明の固定部材は、一般家庭、ホテルあるいは公共施設などに配置される壁埋め込み水栓の固定部材などにおいて広く利用することができる。
【図面の簡単な説明】
【００４９】
【図１】本発明の固定部材を用いた壁埋め込み水栓の外観を示す斜視図
【図２】図１の断面図
【図３】第１の実施形態の固定部材を示す斜視図
【図４】第１の実施形態の固定部材のつば部を示す拡大斜視図
【図５】第２の実施形態の固定部材を示す斜視図
【図６】第２の実施形態の固定部材のつば部を示す拡大斜視図
【図７】第３の実施形態の固定部材を示す斜視図
【図８】第３の実施形態の固定部材のつば部を示す拡大斜視図
【図９】第３の実施形態のつば部を示す外観図
【図１０】従来技術を示す斜視図
【図１１】従来技術を示す斜視図
【符号の説明】
【００５０】
１  水栓
２  ハンドル
３  カバー
４  吐水口
５  水栓本体
６  給水口
７  固定部材
９  バルブ
１０  逆止弁
１１  側面
１２  上面
１３  ねじ
１４  ねじ穴
１５  外周枠
１６  つば部
１７  第１つば部
１８  第２つば部
２０  つば部
２１  固定部材外周部内面
２２  ストッパー面
２３  Ａ１面
２４  Ａ２面
２５  Ｂ１面
２６  Ｂ２面
２７  第１つば面
２８  第２つば面
３０  つば部
３１  つば取付部
３２  ストッパー部
３３  スライド軸部
３４  つば面
５０  水栓本体
７０  ボックス
８０  スペーサー
１００  間柱
１０１  当木
１１１  凹部
１１２  凹部
１１３  給水配管
１１４  奥面
１１５  第１つば部端面
１１６  第２つば部端面
１１７  固定部材
１１８  開口部
１１９  固定部材
１２０  太軸部
１２１  貫通穴
１２２  段差部
２００  ねじ
２１０  ボックス側面
２２０  ボックス上面
３００  カバー
【図１】
2010077770.tif 000003
【図２】
2010077770.tif 000004
【図３】
2010077770.tif 000005
【図４】
2010077770.tif 000006
【図５】
2010077770.tif 000007
【図６】
2010077770.tif 000008
【図７】
2010077770.tif 000009
【図８】
2010077770.tif 000010
【図９】
2010077770.tif 000011
【図１０】
2010077770.tif 000012
【図１１】
2010077770.tif 000013